(57)【要約】【課題】  専用非接触ＩＤ媒体を１枚用意すれば複数の汎用非接触ＩＤ媒体に適応可能で、コストや手間を抑えることができるＩＤ登録管理機能を有する警備システム及び警備システムにおけるＩＤ登録管理方法を提供することにある。【解決手段】  操作端末に、ＩＤ読取部にかざされた操作端末専用の体系を有する専用ＩＤが複数記憶された専用非接触ＩＤ媒体の専用ＩＤを登録し、操作端末が、登録された専用ＩＤを有する専用非接触ＩＤ媒体を認証し、認証された専用非接触ＩＤ媒体の専用ＩＤのいずれを用いるかを選択し、ＩＤ読取部にかざされた汎用の体系を有する汎用ＩＤが１つ記憶された汎用非接触ＩＤ媒体の汎用ＩＤと選択された専用ＩＤとを関連付けることを特徴とする。【選択図】図１
2011090588.tif 000002
【特許請求の範囲】
【請求項１】
操作者のＩＤが記憶された非接触ＩＤ媒体と、該非接触ＩＤ媒体中のＩＤを読み取るＩＤ読取部を有し認証機能を具備する警備用の操作端末とからなるＩＤ登録管理機能を有する警備システムにおいて、
該非接触ＩＤ媒体が、
汎用の体系を有する汎用ＩＤが１つ記憶された汎用非接触ＩＤ媒体と、
該操作端末専用の体系を有する専用ＩＤが複数記憶された専用非接触ＩＤ媒体とからなり、
該操作端末が、
該ＩＤ読取部にかざされた該専用非接触ＩＤ媒体の専用ＩＤを登録する専用ＩＤ登録手段と、
該専用ＩＤ設定手段で登録された専用ＩＤを有する該専用非接触ＩＤ媒体を認証する専用ＩＤ認証手段と、
該専用ＩＤ認証手段で認証された該専用非接触ＩＤ媒体の専用ＩＤのいずれを用いるかを選択する専用ＩＤ選択手段と、
該ＩＤ読取部にかざされた該汎用非接触ＩＤ媒体の汎用ＩＤと該専用ＩＤ選択手段で選択された専用ＩＤとを関連付ける汎用ＩＤ関連付手段とを備えることを特徴とするＩＤ登録管理機能を有する警備システム。
【請求項２】
前記専用ＩＤ選択手段が前記専用ＩＤの選択を行わず、
前記専用ＩＤ選択手段が、前記専用非接触ＩＤ媒体の専用ＩＤのうち、まだ前記汎用非接触ＩＤ媒体の汎用ＩＤに関連付けられていない該専用ＩＤの１つを選択して、前記ＩＤ読取部にかざされた汎用非接触ＩＤ媒体の汎用ＩＤと関連付けることを特徴とする請求項１記載のＩＤ登録管理機能を有する警備システム。
【請求項３】
操作者のＩＤが記憶された非接触ＩＤ媒体と、該非接触ＩＤ媒体中のＩＤを読み取るＩＤ読取部を有し認証機能を具備する警備用の操作端末とからなる警備システムにおけるＩＤ登録管理方法において、
該操作端末に、該ＩＤ読取部にかざされた該操作端末専用の体系を有する専用ＩＤが複数記憶された専用非接触ＩＤ媒体の該専用ＩＤを登録し、
該操作端末が、登録された該専用ＩＤを有する該専用非接触ＩＤ媒体を認証し、
該認証された専用非接触ＩＤ媒体の専用ＩＤのいずれを用いるかを選択し、
該ＩＤ読取部にかざされた汎用の体系を有する汎用ＩＤが１つ記憶された汎用非接触ＩＤ媒体の汎用ＩＤと該選択された専用ＩＤとを関連付けることを特徴とする警備システムにおけるＩＤ登録管理方法。
【請求項４】
前記専用非接触ＩＤ媒体の専用ＩＤのうち、まだ前記汎用非接触ＩＤ媒体の汎用ＩＤに関連付けられていない該専用ＩＤの１つが適宜自動で選択され、前記ＩＤ読取部にかざされた汎用非接触ＩＤ媒体の汎用ＩＤと関連付けることを特徴とする請求項３記載の警備システムにおけるＩＤ登録管理方法。
【発明の詳細な説明】
【技術分野】
【０００１】
本発明は、操作者のＩＤが記憶された非接触ＩＤ媒体を用いた認証機能を具備する操作端末からなるＩＤ登録管理機能を有する警備システム及び警備システムにおけるＩＤ登録管理方法に関する。
【背景技術】
【０００２】
従来より、一般の家庭や店舗、工場等の警備対象施設側に、その警備対象施設の状況を警備するセンサを設け、インターネット回線等の電気通信回線を用いて、その警備情報を警備監視側の監視センタに送る警備システムが運用されている。警備対象施設側には、警備の開始や解除を設定する操作端末が設けられている。
【０００３】
従来の警備システムの操作端末では、例えば特許文献１に示されるように、操作者のＩＤが記憶された非接触ＩＤ媒体であるＩＣタグを用いて、利用者を識別し、認証された場合に警備の開始や解除を設定する仕組みが提案されている。
【０００４】
また、非接触ＩＤ媒体としては、ＩＣタグやＩＣカード等があり、非接触ＩＤ媒体は操作端末毎の専用の体系を有する専用ＩＤが記憶された専用非接触ＩＤ媒体と、警備システムに限らず他のシステムでも利用可能な汎用の体系を有する汎用ＩＤが記憶された汎用非接触ＩＤ媒体とがある。一般的に、汎用非接触ＩＤ媒体と専用非接触ＩＤ媒体のＩＤは、桁数が異なっている。一方、従来の警備システムの操作端末は、もっぱら専用非接触ＩＤ媒体により操作するように構成されている。
【０００５】
従来の警備システムの操作端末は、汎用非接触ＩＤ媒体の汎用ＩＤの桁数が、専用非接触ＩＤ媒体の専用ＩＤの桁数に収まらないことから、汎用非接触ＩＤ媒体を使用したい場合、操作端末で取り決められた専用ＩＤの体系を、汎用ＩＤの体系に変更する必要がある。しかしながら、操作端末の専用ＩＤの体系を汎用ＩＤの体系に変更すると、単に操作端末の改修に留まらず、警備情報を受け取る監視センタ側の改修まで必要になる場合もあり、警備システム全体として煩雑な改修が必要となってしまう。
【０００６】
この警備システム全体としての改修を、操作端末の改修のみで対応する方法としては、専用非接触ＩＤ媒体の専用ＩＤを操作端末に入力して登録し、操作端末に専用ＩＤを登録した専用非接触ＩＤ媒体をかざす。次に、操作端末に汎用非接触ＩＤ媒体をかざして、かざした汎用非接触ＩＤ媒体の汎用ＩＤと専用非接触ＩＤ媒体の専用ＩＤとを関連付け、その汎用非接触ＩＤ媒体が用いられた場合に、関連付けられた専用ＩＤにより、操作が行われるようにすればよい。
【先行技術文献】
【特許文献】
【０００７】
【特許文献１】特開２００６−２８５６９８号公報
【発明の概要】
【発明が解決しようとする課題】
【０００８】
しかしながら、汎用非接触ＩＤ媒体の汎用ＩＤと専用非接触ＩＤ媒体の専用ＩＤとを１対１で関連付ける場合、汎用非接触ＩＤ媒体の枚数分の専用非接触ＩＤ媒体が必要になってしまい、専用非接触ＩＤ媒体分のコストがアップしてしまう。
【０００９】
本発明は、このような事情に鑑みてなされたもので、専用非接触ＩＤ媒体を１枚用意すれば複数の汎用非接触ＩＤ媒体に適応可能で、コストや手間を抑えることができるＩＤ登録管理機能を有する警備システム及び警備システムにおけるＩＤ登録管理方法を提供することにある。
【課題を解決するための手段】
【００１０】
請求項１記載のＩＤ登録管理機能を有する警備システムは、非接触ＩＤ媒体が、汎用の体系を有する汎用ＩＤが１つ記憶された汎用非接触ＩＤ媒体と、操作端末専用の体系を有する専用ＩＤが複数記憶された専用非接触ＩＤ媒体とからなり、操作端末が、ＩＤ読取部にかざされた専用非接触ＩＤ媒体の専用ＩＤを登録する専用ＩＤ登録手段と、専用ＩＤ設定手段で登録された専用ＩＤを有する専用非接触ＩＤ媒体を認証する専用ＩＤ認証手段と、専用ＩＤ認証手段で認証された専用非接触ＩＤ媒体の専用ＩＤのいずれを用いるかを選択する専用ＩＤ選択手段と、ＩＤ読取部にかざされた汎用非接触ＩＤ媒体の汎用ＩＤと専用ＩＤ選択手段で選択された専用ＩＤとを関連付ける汎用ＩＤ関連付手段とを備えることを特徴とする。
【００１１】
請求項２記載のＩＤ登録管理機能を有する警備システムは、専用ＩＤ選択手段が専用ＩＤの選択を行わず、専用ＩＤ選択手段が、専用非接触ＩＤ媒体の専用ＩＤのうち、まだ汎用非接触ＩＤ媒体の汎用ＩＤに関連付けられていない専用ＩＤの１つを選択して、ＩＤ読取部にかざされた汎用非接触ＩＤ媒体の汎用ＩＤと関連付けることを特徴とする。
【００１２】
請求項３記載の警備システムにおけるＩＤ登録管理方法は、操作端末に、ＩＤ読取部にかざされた操作端末専用の体系を有する専用ＩＤが複数記憶された専用非接触ＩＤ媒体の専用ＩＤを登録し、操作端末が、登録された専用ＩＤを有する専用非接触ＩＤ媒体を認証し、認証された専用非接触ＩＤ媒体の専用ＩＤのいずれを用いるかを選択し、ＩＤ読取部にかざされた汎用の体系を有する汎用ＩＤが１つ記憶された汎用非接触ＩＤ媒体の汎用ＩＤと選択された専用ＩＤとを関連付けることを特徴とする。
【００１３】
請求項４記載の警備システムにおけるＩＤ登録管理方法は、専用非接触ＩＤ媒体の専用ＩＤのうち、まだ汎用非接触ＩＤ媒体の汎用ＩＤに関連付けられていない専用ＩＤの１つが適宜自動で選択され、ＩＤ読取部にかざされた汎用非接触ＩＤ媒体の汎用ＩＤと関連付けることを特徴とする。
【発明の効果】
【００１４】
請求項１及び請求項３の発明によれば、操作端末に、専用ＩＤが複数記憶された専用非接触ＩＤ媒体の専用ＩＤを登録し、汎用ＩＤが１つ記憶された汎用非接触ＩＤ媒体の汎用ＩＤと選択された専用ＩＤとを関連付けることから、専用非接触ＩＤ媒体を１枚用意すれば複数の汎用非接触ＩＤ媒体に適応可能で、コストや手間を抑えることができる。
【００１５】
請求項２及び請求項４の発明によれば、専用非接触ＩＤ媒体の専用ＩＤのうち、まだ汎用非接触ＩＤ媒体の汎用ＩＤに関連付けられていない専用ＩＤの１つが適宜自動で選択されることから、操作端末の操作が容易になる。
【図面の簡単な説明】
【００１６】
【図１】本発明に係る警備システムの一例を示す構成図である。
【図２】同警備システムで用いられる操作端末の一例を示す構成図である。
【発明を実施するための形態】
【００１７】
以下、本発明の形態について図面を参照しながら具体的に説明する。本発明の形態における警備システム１は、一般の家庭や店舗、工場等の警備対象施設側に、その警備対象施設の状況を警備するセンサを設け、インターネット回線等の電気通信回線を用いて、その警備情報を警備対象施設側の操作端末１０から、警備監視側の監視センタ２０に送るものである。図１は、本発明に係る警備システムの一例を示す構成図である。図２は、同警備システムで用いられる操作端末の一例を示す構成図である。
【００１８】
図１及び図２において、警備システム１は、警備対象施設側に設けられた操作端末１０及び操作端末１０から電気通信回線を介して警備情報が送られる監視センタ２０とから構成されている。そして、操作端末１０は、操作者が警戒の開始又は警戒の停止を設定するもので、後述する汎用カード４を操作端末にかざすことにより、その開始又は停止を設定する。また、操作端末１０には、図示しない、センサ等の警備状況を把握するための機器が接続され、警戒状態で警備情報を表示したり、監視センタ２０に通報する機能を有している。さらに、本実施の形態の操作端末１０は、操作端末１０の動作をつかさどるＣＰＵ１２やメモリ１４や操作部１６の他に、非接触で認証のためのＩＤを読み取るためのＩＤ読取部１８を備えている。
【００１９】
ＩＤ読取部１８で読み取り可能な媒体としては、汎用非接触ＩＤ媒体である汎用カード４や専用非接触ＩＤ媒体である専用カード６である。汎用カード４は、本実施の形態の操作端末１０に限らず、ＩＤにより認証を行う各種の機器で汎用的に用いられているもので、汎用の体系の汎用ＩＤを記憶している。また、専用カードは、操作端末専用の体系を有する専用ＩＤを記憶している。ここで、通常の専用カードは、１枚のカードで１つの専用ＩＤを持つが、本件の専用カード６は、１枚の専用カード６に複数の専用ＩＤが記憶されている。記憶されている専用ＩＤの数は任意であるが、以降の説明では１０個の専用ＩＤが記憶されているものとして説明を行う。尚、本実施の形態では、汎用非接触ＩＤ媒体や専用非接触ＩＤ媒体としてカード型のもので説明するが、カード型に限られるものではなく、ＩＣタグや携帯電話等のカード型ではないものであってもよい。
【００２０】
次に、本実施の形態における警備システム１の動作を説明する。まず、操作端末１０で用いられていない専用カード６を用意し、その専用カード６に記憶されている専用ＩＤを操作端末１０の操作部１６から入力しメモリ１４に保存する。尚、本実施の形態の説明において、専用ＩＤとして「１０００００００」〜「１００００００９」の１０個を有する専用カード６の例で説明する。次に、操作端末１０のＩＤ読取部１８に専用カード６をかざし、実際の専用カード６に記憶されている専用ＩＤとメモリ１４に保存する専用ＩＤとの認証を行う。尚、専用ＩＤの操作端末１０への入力による登録を、専用カード６を操作端末１０のＩＤ読取部１８へかざしての認証と同時に行うようにしてもよい。すなわち、いすれかの操作で、操作端末１０に、ＩＤ読取部１８にかざされた操作端末１０専用の体系を有する専用ＩＤが複数記憶された専用カード６の専用ＩＤを登録する。尚、本実施の形態では、専用ＩＤの末尾の１桁を用いて１０個の専用ＩＤとしているが、桁数を増やして１桁より多い桁数を用いて、より多くの専用ＩＤを管理できるようにしてもよい。
【００２１】
次に、認証された専用カード６の専用ＩＤのいずれを用いるかを操作部１６で選択する（例えば、専用ＩＤ「１０００００００」を選択したとする）。そして、用意した汎用ＩＤが記憶された汎用カード４を操作端末１０のＩＤ読取部１８へかざす。操作端末１０は、汎用カード４から読み込んだ汎用ＩＤと、選択された専用ＩＤ（「１０００００００」）の一対一の関連付けを行い、関連付けの情報をメモリ１４に記憶する。これにより、以降、操作者が関連付けられた汎用カード４を操作端末１０のＩＤ読取部１８へかざすと、操作端末１０では、その汎用カード４に関連付けられた専用ＩＤ（「１０００００００」）での認証が行われたものとして、その専用ＩＤを用いて警戒の開始や解除を行うと共に、必要に応じて、その専用ＩＤを監視センタ２０に送ったりする。
【００２２】
尚、他の汎用カード４も操作端末１０で使用できるようにしたい場合には、上述のように、認証された専用カード６の専用ＩＤの残ったいずれを用いるかを操作部１６で選択し、新たに用意した汎用ＩＤが記憶された汎用カード４を操作端末１０のＩＤ読取部１８へかざし、新たにかざした汎用カード４から読み込んだ汎用ＩＤと、選択された専用ＩＤの一対一の関連付けを行い、関連付けの情報をメモリ１４に記憶するようにすればよい。
【００２３】
以上のように、本実施の形態の警備システム１によれば、操作端末１０に、専用ＩＤが複数記憶された専用カード６の専用ＩＤを登録し、汎用ＩＤが１つ記憶された汎用カード４の汎用ＩＤと選択された専用ＩＤとを関連付けることから、専用カード６を１枚用意すれば複数の汎用カード４に適応可能で、コストや手間を抑えることができる。
【００２４】
尚、上述の操作端末１０の操作では、複数ある専用ＩＤの中から関連付けたい専用ＩＤを操作者が選択する構成になっているが、この操作者による選択を行わず、操作端末１０が、まだ汎用カード４の汎用ＩＤと関連付けられていない専用ＩＤの中から適宜自動で選択して、自動で選択された専用ＩＤと汎用ＩＤとを関連付けるようにしてもよい。専用カード６の専用ＩＤのうち、まだ汎用カード４に関連付けられていない専用ＩＤの１つが適宜自動で選択されることから、操作端末１０の操作が容易になる。
【００２５】
尚、本実施の形態では、操作端末１０の警備情報等を監視センタ２０に送る場合で説明したが、監視センタ２０は必須ではなく、操作端末１０だけの警備システムにも適用可能である。
【産業上の利用可能性】
【００２６】
以上のように、本発明によれば、専用非接触ＩＤ媒体を１枚用意すれば複数の汎用非接触ＩＤ媒体に適応可能で、コストや手間を抑えることができるＩＤ登録管理機能を有する警備システム及び警備システムにおけるＩＤ登録管理方法を提供することができる。
【符号の説明】
【００２７】
１・・・・警備システム
４・・・・汎用カード
６・・・・専用カード
１０・・・操作端末
１２・・・ＣＰＵ
１４・・・メモリ
１６・・・操作部
１８・・・ＩＤ読取部
２０・・・監視センタ
【図１】
2011090588.tif 000003
【図２】
2011090588.tif 000004